(57)【要約】【課題】ユーザが所望しないような局面では映像出力装置の無操作電源ＯＦＦ機能が働かないようにする。【解決手段】一定時間以上操作がされない場合に所定の電源ＯＦＦ処理を実行する無操作電源ＯＦＦ機能を有する映像出力装置（１）であって、前記一定時間の計時する無操作時間カウンタ（５）と、当該映像出力装置（１）に接続された外部機器に係る情報を取得する外部機器情報取得手段（９）と、前記取得した情報に基づいて、前記無操作電源ＯＦＦ機能を無効化すべきか否かを判定する機能無効化判定手段（６）と、前記無操作時間カウンタ（５）から前記一定時間の経過を示す信号を受けたときに前記所定の電源ＯＦＦ処理を実行する制御部であって、前記無操作電源ＯＦＦ機能を無効化すべきと判定されたとき、前記無操作電源ＯＦＦ機能を一時的に無効化する制御部（２）とを備えている。【選択図】図１
2011171893.tif 000002
【特許請求の範囲】
【請求項１】
一定時間以上操作がされない場合に所定の電源ＯＦＦ処理実行する無操作電源ＯＦＦ機能を有する映像出力装置であって、
前記一定時間の計時する無操作時間カウンタと、
当該映像出力装置に接続された外部機器に係る情報を取得する外部機器情報取得手段と、
前記取得した情報に基づいて、前記無操作電源ＯＦＦ機能を無効化すべきか否かを判定する機能無効化判定手段と、
前記無操作時間カウンタから前記一定時間の経過を示す信号を受けたときに前記所定の電源ＯＦＦ処理を実行する制御部であって、前記無操作電源ＯＦＦ機能を無効化すべきと判定されたとき、前記無操作電源ＯＦＦ機能を一時的に無効化する制御部とを備えている
ことを特徴とする映像出力装置。
【請求項２】
請求項１の映像出力装置において、
前記情報は、前記外部機器の固有情報である
ことを特徴とする映像出力装置。
【請求項３】
請求項２の映像出力装置において、
前記固有情報は、前記外部機器の種別情報である
ことを特徴とする映像出力装置。
【請求項４】
請求項２の映像出力装置において、
前記固有情報は、前記外部機器のメーカ情報である
ことを特徴とする映像出力装置。
【請求項５】
請求項２の映像出力装置において、
前記固有情報は、前記外部機器の機種情報である
ことを特徴とする映像出力装置。
【請求項６】
請求項１の映像出力装置において、
前記情報は、前記外部機器の可変情報である
ことを特徴とする映像出力装置。
【請求項７】
請求項６の映像出力装置において、
前記可変情報は、前記外部機器の電源が入っていることを示す情報である
ことを特徴とする映像出力装置。
【請求項８】
請求項６の映像出力装置において、
前記可変情報は、前記外部機器から当該映像出力装置に映像信号が伝送されていることを示す情報である
ことを特徴とする映像出力装置。
【請求項９】
請求項６の映像出力装置において、
前記可変情報は、当該映像信号装置から前記外部機器に映像信号が伝送されていることを示す情報である
ことを特徴とする映像出力装置。
【請求項１０】
請求項６の映像出力装置において、
前記可変情報は、前記外部機器の操作がされていることを示す情報である
ことを特徴とする映像出力装置。
【請求項１１】
請求項６の映像出力装置において、
前記可変情報は、前記外部機器があらかじめ決められた指示どおりに自動的に動作していることを示す情報である
ことを特徴とする映像出力装置。
【請求項１２】
請求項６の映像出力装置において、
前記可変情報は、前記無操作電源ＯＦＦ機能の無効化を指示する命令である
ことを特徴とする映像出力装置。
【請求項１３】
請求項１の映像出力装置において、
前記情報は、前記外部機器の固有情報および可変情報である
ことを特徴とする映像出力装置。
【請求項１４】
請求項１の映像出力装置において、
ユーザからの操作を受け付ける操作受信手段を備え、
前記外部機器情報取得手段は、前記操作受信手段が受けた操作情報から前記外部機器に係る情報を取得する
ことを特徴とする映像出力装置。
【請求項１５】
請求項１の映像出力装置において、
他機器と接続するためのネットワークＩ／Ｆを備え、
前記外部機器情報取得手段は、前記ネットワークＩ／Ｆを介して前記外部機器と通信を行って前記外部機器に係る情報を取得する
ことを特徴とする映像出力装置。
【請求項１６】
請求項１５の映像出力装置において、
前記外部機器情報取得手段は、前記外部機器が前記ネットワークＩ／Ｆに接続されたときに前記外部機器と通信を行って前記外部機器に係る情報を取得する
ことを特徴とする映像出力装置。
【請求項１７】
請求項１５の映像出力装置において、
前記外部機器情報取得手段は、前記外部機器と随時通信を行って前記外部機器に係る情報を取得する
ことを特徴とする映像出力装置。
【請求項１８】
請求項１の映像出力装置において、
前記制御部は、前記無操作時間カウンタに対して計時動作の中断を指示することで前記無操作電源ＯＦＦ機能を一時的に無効化する
ことを特徴とする映像出力装置。
【請求項１９】
請求項１の映像出力装置において、
前記制御部は、前記無操作時間カウンタの計時動作を初期化することで前記無操作電源ＯＦＦ機能を一時的に無効化する
ことを特徴とする映像出力装置。
【請求項２０】
請求項１の映像出力装置において、
前記制御部は、前記無操作電源ＯＦＦ機能を無効化すべきと判定されたとき、前記無操作時間カウンタからの信号を無視することで前記無操作電源ＯＦＦ機能を一時的に無効化する
ことを特徴とする映像出力装置。
【発明の詳細な説明】
【技術分野】
【０００１】
本発明は、映像出力装置に関し、特に、無操作電源ＯＦＦ機能を有する映像出力装置に関する。
【背景技術】
【０００２】
ディスプレイモニタなどの映像出力装置には、一定時間以上操作がされない場合に警告表示をしてまたは警告表示なしに自動的に電源をＯＦＦにする無操作電源ＯＦＦ機能を有するものが多数存在する（例えば、特許文献１参照）。また、再生装置から再生中コンテンツの残時間情報を得て、当該残時間が所定時間よりも長い場合にはＴＶチューナ周りの電力供給をＯＦＦにし、当該残時間が所定時間よりも短い場合には当該電力供給をオンにするテレビジョン受像機が知られている（例えば、特許文献２参照）。
【先行技術文献】
【特許文献】
【０００３】
【特許文献１】特開２０００−０３２３６８号公報
【特許文献２】特開２００８−０７８９３４号公報
【発明の概要】
【発明が解決しようとする課題】
【０００４】
再生装置などの外部機器で再生するコンテンツを映像出力装置で視聴する場合、ユーザは外部機器に対して各種操作を行うが映像出力装置に対しては操作を行わないことが多い。このため、映像出力装置の無操作電源ＯＦＦ機能が有効になっていると、外部装置で再生しているコンテンツの視聴中に意図せずに警告画面が表示されたり、映像出力装置の電源が自動的にＯＦＦになってしまうことがある。ユーザによってはこのような意図しない無操作電源ＯＦＦを避けるために映像出力装置の無操作電源ＯＦＦ機能を停止させてしまうことがあるが、それでは省エネルギー対策などのために当該機能を設けた意味が損なわれてしまう。
【０００５】
かかる問題に鑑み、本発明は、ユーザが所望しないような局面では映像出力装置の無操作電源ＯＦＦ機能が働かないようにすることを課題とする。
【課題を解決するための手段】
【０００６】
上記課題を解決するために本発明によって次のような手段を講じた。すなわち、一定時間以上操作がされない場合に所定の電源ＯＦＦ処理を実行する無操作電源ＯＦＦ機能を有する映像出力装置であって、前記一定時間の計時する無操作時間カウンタと、当該映像出力装置に接続された外部機器に係る情報を取得する外部機器情報取得手段と、前記取得した情報に基づいて、前記無操作電源ＯＦＦ機能を無効化すべきか否かを判定する機能無効化判定手段と、前記無操作時間カウンタから前記一定時間の経過を示す信号を受けたときに前記所定の電源ＯＦＦ処理を実行する制御部であって、前記無操作電源ＯＦＦ機能を無効化すべきと判定されたとき、前記無操作電源ＯＦＦ機能を一時的に無効化する制御部とを備えたものとする。
【発明の効果】
【０００７】
本発明によると、映像出力装置の無操作電源ＯＦＦ機能を有効にしていても外部機器に係る情報に基づいて無操作電源ＯＦＦ機能が一時的に無効化される。したがって、外部機器の映像出力装置に接続してコンテンツを再生する場合などにおいて映像出力装置の無操作電源ＯＦＦ機能が働かないようにすることができる。
【図面の簡単な説明】
【０００８】
【図１】図１は、本発明の一実施形態に係る映像出力装置の概略構成図である。
【図２】図２は、外部機器の固有情報に基づいて無操作電源ＯＦＦ機能を一時的に無効化する場合のフローチャートである。
【図３】図３は、外部機器の可変情報に基づいて無操作電源ＯＦＦ機能を一時的に無効化する場合のフローチャートである。
【図４】図４は、外部機器の固有情報および可変情報の組み合わせに基づいて無操作電源ＯＦＦ機能を一時的に無効化する場合のフローチャートである。
【発明を実施するための形態】
【０００９】
図１は、本発明の一実施形態に係る映像出力装置の構成を概略的に示す。映像出力装置１は、例えば、デジタルテレビジョン受信機、ＤＶＤ、Ｂｌｕ−ｒａｙ（ＢＤ）、ＨＤＤレコーダやプレーヤなどである。具体的には、映像出力装置１は、制御部２、電源切断手段３、電源回路４、無操作時間カウンタ５、機能無効化判定手段６、記憶部７、操作受信手段８、外部機器情報取得手段９、ネットワークＩ／Ｆ１０などを備えている。また、映像出力装置１に接続される外部機器は、例えば、ＣＡＴＶチューナ、デジタルテレビジョン受像機、ＤＶＤ、Ｂｌｕ−ｒａｙ（ＢＤ）、ＨＤＤレコーダやプレーヤなどである。例えば、映像出力装置１としてＢＤレコーダ、外部機器としてＣＡＴＶチューナなどの組み合わせが可能である。以下では便宜のため映像出力装置１がディスプレイモニタであるとして説明する。
【００１０】
操作受信手段８は、リモコンまたは機器本体のボタンなどによるユーザ操作を受信し、操作情報を制御部２に通知する。操作受信手段８がユーザ操作を通知すると、無操作時間カウンタ５はリセットされ、再度計時を開始する。ユーザが自動電源ＯＦＦするまでの無操作時間を設定し、無操作電源ＯＦＦ機能を有効に設定すると、設定情報は不揮発性メモリなどで構成された記憶部７に格納される。無操作電源ＯＦＦ機能が有効となっている場合、無操作時間カウンタ５は、操作が行われてからの時間を計時し、設定された一定時間に達すると制御部２に通知を行う。制御部２は、この通知をもとに電源切断手段３に通知を行う。電源切断手段３は、制御部２から通知を受けると電源回路４に電源ＯＦＦの指示を出す。電源回路４は、電源ＯＦＦの指示を受けると警告表示をしてまたは警告表示なしに映像出力装置１の電源をＯＦＦにする。
【００１１】
ネットワークＩ／Ｆ１０は、例えば、ＬＡＮ（Local Area Network）やＨＤＭＩ（High-Definition Multimedia Interface）などである。ネットワークＩ／Ｆ１０にはＢＤレコーダ／プレーヤなどの図示しない外部機器が直接的にまたは図示しないＡＶアンプなどの機器を介して間接的に接続される。
【００１２】
以下、無操作電源ＯＦＦ機能が有効に設定され、かつ、外部機器が接続されているときの映像出力装置１の動作例についていくつか説明する。
【００１３】
図２は、外部機器の固有情報に基づいて無操作電源ＯＦＦ機能を一時的に無効化する場合のフローを示す。外部機器が映像出力装置１に接続されると、外部機器情報取得手段９はネットワークＩ／Ｆ１０を介して外部機器と通信を行って外部機器の種別情報、メーカ情報、機種情報などの固有情報を取得する（Ｓ１０）。種別情報とは、レコーダ、プレーヤなどの外部機器の種別を表す情報である。機種情報とは、外部機器の型番やファームウェアのバージョンなどを表す情報である。外部機器から固有情報を自動取得できない場合には、操作受信手段８を介してユーザが手入力した情報から外部機器の固有情報を取得してもよい。
【００１４】
情報取得のタイミングは、外部機器がネットワークＩ／Ｆ１０に接続されたときででもよいし、一定時間間隔または無操作時間カウンタ５が一定時間を計時するごとでもよい。特に、固有情報は不変であるため、外部機器がネットワークＩ／Ｆ１０に接続されたときに一度だけ取得しておけばよい。
【００１５】
外部機器情報取得手段９が取得した情報は制御部２を介して機能無効化判定手段６に通知される。機能無効化判定手段６は、通知された情報と記憶部７に格納されている無操作電源ＯＦＦ機能無効化条件とを比較し、通知された情報が条件に一致する場合には無操作電源ＯＦＦ機能を無効化すべきと判定する（Ｓ２０）。
【００１６】
制御部２は機能無効化判定手段６の判定結果を受け、無操作電源ＯＦＦ機能を無効化すべきでない場合には当該機能を有効のまま維持し（Ｓ３０）、無効化すべきである場合には当該機能を一時的に無効化する（Ｓ３２）。一時的無効化の方法として、無操作時間カウンタ５の計時動作を初期化してもよいし、無操作時間カウンタ５からの通知を無視するようにしてもよい。あるいは、無操作時間カウンタ５に対して計時動作の中断を指示してもよい。なお、この場合、無操作電源ＯＦＦ機能を無効化すべきでないとの判定があったときに無操作時間カウンタ５に対して計時動作の再開を指示する。
【００１７】
以上のように、外部機器の固有情報に基づく無操作電源ＯＦＦ機能の一時的無効化では外部機器が接続されたときに固有情報を取得すればよいため、情報取得のタイミングに関する制約が少ない。したがって、実装が容易である。
【００１８】
図３は、外部機器の可変情報に基づいて無操作電源ＯＦＦ機能を一時的に無効化する場合のフローを示す。可変情報は、例えば、外部機器の電源が入っていることを示す情報、外部機器から映像出力装置１に映像信号が伝送されていることを示す情報、映像出力装置１から外部機器に映像信号が伝送されていることを示す情報、外部機器の操作がされていることを示す情報などである。あるいは、可変情報は、外部機器があらかじめ決められた指示どおりに自動的に動作していることを示す情報であってもよい。例えば、視聴予約などで外部機器の受信チャンネルが自動的に変わる場合や複数のコンテンツを自動的に連続再生する場合などの動作がこれに該当する。
【００１９】
あるいは、可変情報は、無操作電源ＯＦＦ機能の無効化を指示する命令であってもよい。すなわち、外部機器が、電源入切状態、映像信号の入出力状態、操作中、自動動作中などのさまざまな自身の状態を検知し、その検知結果に基づいて無操作電源ＯＦＦ機能を無効化すべきと判断した場合に当該命令を出力してもよい。
【００２０】
外部機器の可変情報に基づく無操作電源ＯＦＦ機能の一時的無効化は固有情報に基づく処理とほぼ同じである。すなわち、外部機器情報取得手段９はネットワークＩ／Ｆ１０を介して外部機器の可変情報を取得し（Ｓ１２）、機能無効化判定手段６は、通知された情報が無操作電源ＯＦＦ機能無効化条件に一致する場合には無操作電源ＯＦＦ機能を無効化すべきと判定する（Ｓ２２）。そして、制御部２は機能無効化判定手段６の判定結果を受け、無操作電源ＯＦＦ機能を無効化すべきでない場合には当該機能を有効のまま維持して可変情報の取得を再開し（Ｓ３０）、無効化すべきである場合には当該機能を一時的に無効化する（Ｓ３２）。
【００２１】
情報取得のタイミングは、外部機器がネットワークＩ／Ｆ１０に接続されたときででもよいし、一定時間間隔または無操作時間カウンタ５が一定時間を計時するごとでもよい。特に、可変情報は刻々と変化するため、一度きりではなく随時取得するのが好ましい。
【００２２】
以上のように、外部機器の可変情報に基づく無操作電源ＯＦＦ機能の一時的無効化では刻々と変化する外部機器情報をさまざまなタイミングで取得することができる。したがって、ユーザが電源ＯＦＦを所望しない状況を反映した無操作電源ＯＦＦ機能の一時的無効化を行うことができる。
【００２３】
図４に示すように、外部機器の固有情報および可変情報の組み合わせに基づいて無操作電源ＯＦＦ機能を一時的に無効化してもよい。これによると、例えばメーカ情報に基づいて状況をより的確に判断するための可変情報取得タイミングを切り替えたり、また可変情報が同じであっても、例えば機種情報によって判定結果を変化させたりすることができる。したがって、ユーザが電源ＯＦＦを所望しない状況をよりよく反映した無操作電源ＯＦＦ機能の一時的無効化を行うことができる。
【００２４】
昨今、いたるところでエコ、省エネルギーがうたわれており、各種機器にもそれに沿った機能が搭載されている。しかし、それにより機器本来の機能の使い勝手が低下すると、ユーザは省エネルギー機能を使わなくなる。本実施形態によると、映像出力装置１に外部機器が接続されている場合においてユーザが自動電源ＯＦＦを望まない状況を的確に判断して無操作電源ＯＦＦ機能を一時的に無効化することができる。すなわち、省エネルギーを実現しつつユーザの利便性を高めることができる。これにより、これまで利便性の低下が原因で無操作電源ＯＦＦを使用していなかったユーザに対して無操作電源ＯＦＦ機能の使用を促進し、ひいては省エネルギーに貢献することができる。
【００２５】
なお、本発明は本実施形態に限定されるものではなく、実施段階ではその要旨を逸脱しない範囲で構成要素を変形して具体化できる。また、本実施形態に開示されている複数の構成要素の適宜な組み合わせにより種々の発明を形成できる。例えば、実施形態に示される全構成要素からいくつかの構成要素を削除してもよい。さらに、異なる実施形態に亘る構成要素を適宜組み合わせてもよい。
【産業上の利用可能性】
【００２６】
本発明に係る映像出力装置は、ＤＶＤプレーヤ／レコーダ、Ｂｌｕ−ｒａｙプレーヤ／レコーダなどの録画記録／再生装置などの外部機器が接続可能なデジタルテレビジョン受信機などとして有用である。
【符号の説明】
【００２７】
２    制御部
５    無操作時間カウンタ
６    機能無効化判定手段
８    操作受信手段
９    外部機器情報取得手段
１０  ネットワークＩ／Ｆ
【図１】
2011171893.tif 000003
【図２】
2011171893.tif 000004
【図３】
2011171893.tif 000005
【図４】
2011171893.tif 000006